(57)【要約】【課題】複数の方向から該方向ごとに異なる映像が観察可能な表示装置において、見る方向によっては異なる複数の画像が同時に見えるという不具合を簡単に解消することができるようにする。【解決手段】この表示装置は、表示パネル３０を備え、複数の方向から該方向ごとに異なる映像が観察可能な表示装置であって、予め設定された前記表示パネルの向きに関する情報を記憶する記憶手段と、前記表示パネル３０の向きを変更するパネル方向変更手段と、前記表示装置が使用されるときに、前記記憶手段に記憶された該情報に基づいて前記表示パネルの向きを設定する制御手段と、を具備することを特徴とし、表示パネル３０の向きの調整を可能にする。また、制御手段は、着座センサの出力に基づいて着座状態を検出し、表示パネル３０の向きを自動調整する。【選択図】図５
2006146254.tif 000002
【特許請求の範囲】
【請求項１】
表示パネルを備え、複数の方向から該方向ごとに異なる映像が観察可能な表示装置であって、
予め設定された前記表示パネルの向きに関する情報を記憶する記憶手段と、
前記表示パネルの向きを変更するパネル方向変更手段と、
前記表示装置が使用されるときに、前記記憶手段に記憶された該情報に基づいて前記表示パネルの向きを設定する制御手段と、
を具備することを特徴とする表示装置。
【請求項２】
観察者の位置を検知するセンサを更に具備し、前記制御手段は、前記センサの出力に基づいて前記表示パネルの向きを該観察者の位置に応じた向きに設定することを特徴とする、請求項１に記載の表示装置。
【請求項３】
前記記憶手段は、観察者の位置に応じて設定されるべき前記表示パネルの向きを予め記憶し、前記制御手段は、前記センサの出力と、前記記憶手段に記憶された観察者の位置に応じて設定されるべき前記表示パネルの向きとに基づいて、前記パネル方向変更手段を制御することを特徴とする、請求項２に記載の表示装置。
【請求項４】
前記制御手段は、前記表示パネルの向きを変更するときに、前記表示パネル上の表示画面に、前記表示パネルの向きに関する情報を表示することを特徴とする、請求項１に記載の表示装置。
【請求項５】
前記制御手段は、前記駆動手段を制御して前記表示パネルの向きを変更するときに、前記表示パネル上の表示画面に観察者位置に関する情報を表示する、請求項１に記載の表示装置。
【請求項６】
前記記憶手段には、複数の観察者位置の組合せに応じて設定されるべき前記表示パネルの向きが記憶されていることを特徴とする、請求項３に記載の表示装置。
【請求項７】
前記表示装置は車載用であり、前記センサは座席に配置され乗員の着座状態を検知することを特徴とする、請求項１〜６のいずれか一項に記載の表示装置。
【発明の詳細な説明】
【技術分野】
【０００１】
本発明は、複数の方向から、それらの方向ごとに異なる映像が観察可能な表示装置に関する。
【背景技術】
【０００２】
近年、下記特許文献１に開示されるように、表示パネルを見る方向によって異なる映像が観察され得る表示装置、すなわち二つの方向から異なる映像が観察され得るマルチプルビュー（multiple view）表示装置が考案されている。
【０００３】
車載用表示装置として従来の表示装置を利用する場合、運転中においては、ナビゲーション画面を表示させ、運転の妨げとなるようなテレビ等の映像画面は表示させないようにして利用されていた。一方、かかるマルチプルビュー表示装置を車載用表示装置として利用すれば、運転中においても助手席及び後部座席に座っている人はテレビ画像を見ることが可能となる。
【０００４】
しかしながら、マルチプルビュー表示装置の場合、図１に示されるように、表示パネル（ディスプレイ）のほぼ中央の位置においては、ナビゲーション画面及びテレビ画面による両方の映像が見えるという不都合がある。このことは、後部座席の中央に座る人に不快感を与えることとなる。
【０００５】
【特許文献１】特開２００４−２０６０８９号公報
【発明の開示】
【発明が解決しようとする課題】
【０００６】
本発明は、上述した問題点に鑑みてなされたものであり、その目的は、複数の方向から該方向ごとに異なる映像が観察可能な表示装置であって、見る方向によっては異なる複数の画像が同時に見えるという不具合を簡単に解消することができるものを提供することにある。
【課題を解決するための手段】
【０００７】
上記目的を達成するために、本発明によれば、表示パネルを備え、複数の方向から該方向ごとに異なる映像が観察可能な表示装置であって、予め設定された前記表示パネルの向きに関する情報を記憶する記憶手段と、前記表示パネルの向きを変更するパネル方向変更手段と、前記表示装置が使用されるときに、前記記憶手段に記憶された該情報に基づいて前記表示パネルの向きを設定する制御手段と、を具備することを特徴とする表示装置が提供される。
【０００８】
一つの好適な態様では、観察者の位置を検知するセンサを更に具備し、前記制御手段は、前記センサの出力に基づいて前記表示パネルの向きを該観察者の位置に応じた向きに設定する。
【０００９】
また、一つの好適な態様では、前記記憶手段は、観察者の位置に応じて設定されるべき前記表示パネルの向きを予め記憶し、前記制御手段は、前記センサの出力と、前記記憶手段に記憶された観察者の位置に応じて設定されるべき前記表示パネルの向きとに基づいて、前記パネル方向変更手段を制御する。
【００１０】
また、一つの好適な態様では、前記制御手段は、前記表示パネルの向きを変更するときに、前記表示パネル上の表示画面に、前記表示パネルの向きに関する情報を表示する。
【００１１】
また、一つの好適な態様では、前記制御手段は、前記駆動手段を制御して前記表示パネルの向きを変更するときに、前記表示パネル上の表示画面に観察者位置に関する情報を表示する。
【００１２】
また、一つの好適な態様では、前記記憶手段には、複数の観察者位置の組合せに応じて設定されるべき前記表示パネルの向きが記憶されている。
【００１３】
また、一つの好適な態様では、前記表示装置は車載用であり、前記センサは座席に配置され乗員の着座状態を検知する。
【発明の効果】
【００１４】
本発明による表示装置は、表示パネルの向きの調整を可能にすることで前述の問題を全て解消する。すなわち、見る方向によっては異なる複数の画像が同時に見えるという不具合が、簡単な調整により解消され、さらに、その調整が自動化される。本発明は、特に車載用として利用される表示装置として利便性に優れたものを提供する。
【発明を実施するための最良の形態】
【００１５】
以下、添付図面を参照して本発明の実施形態について説明する。図２は、本発明による表示装置の一実施形態としてのマルチプルビュー表示装置の構成を示すブロック図である。このマルチプルビュー表示装置は、車載用として構成されるもので、主として、表示装置本体１０と表示パネル３０とで構成される。この表示パネル３０は、前述した特許文献１（特開２００４−２０６０８９号公報）に示されるように、左方向及び右方向に向けて相互に異なる映像を表示することができるものである。
【００１６】
表示装置本体１０は、所定のプログラムを実行する中央処理装置（ＣＰＵ）１２と、プログラム、データ等を格納するメモリ１４と、ＣＰＵ１２からの指令を受けて表示パネル３０への制御信号を作成する表示制御回路１６と、表示パネル３０の左右方向の向きを変更する駆動手段としてのモータ１８と、ＣＰＵ１２から指令を受けてモータ１８への制御信号を作成するモータ制御回路２０と、を備える。
【００１７】
また、ＣＰＵ１２は、ユーザによって操作される、リモコン等の外部スイッチ４０からの信号を入力する。さらに、ＣＰＵ１２は、車両の各座席に対応して設けられた複数の着座センサ５０からの信号を入力することができるように構成されている。
【００１８】
図３は、表示パネル３０が駆動用モータ１８によって回転駆動される構成を説明するための図であって、表示装置を上から見たときのものである。同図に示されるように、モータ１８の回転運動が二つの駆動軸２２Ａ及び２２Ｂの直線運動に変換される。そして、一方の駆動軸が前方（後方）へ移動するとともに他方の駆動軸が後方（前方）へ移動することにより、表示パネル３０が回動する。
【００１９】
図４は、車両内の座席に対して表示パネルの向きを変化させる様子を示す図である。前述のように表示パネル３０の向きが可変とされているマルチプルビュー表示装置を車両に搭載すれば、車両内の座席に対して、表示パネル３０の向きを、例えば、図４（Ａ）に示される状態から図４（Ｂ）に示される状態へと変化させることが可能となる。
【００２０】
図４（Ｂ）に示される状態では、表示パネル３０の向きと車両内の着座状態との関係が、例えば、図５に示されるものとなる。図５に示されるように、後部座席の中央に座っている人の位置から表示パネル３０を見るときにも、一方の映像のみが見えるよう表示パネル３０の向きが調整されている。すなわち、両方の映像が見えてしまうという不都合が解消される。
【００２１】
そして、本実施形態におけるマルチプルビュー表示装置は、表示パネル３０の向きの調整を、手動変更モードと自動変更モードとをサポートすることによって実現する。すなわち、手動変更モードにおいては、ユーザが外部スイッチ４０を操作し、その信号を受けて、ＣＰＵ１２がモータ１８を制御する。表示パネルの適切な向きは、車種、シート位置等によって異なるところ、手動変更モードによれば、ユーザによる微調整が可能となる。
【００２２】
ここで、ＣＰＵ１２は、ユーザの操作によって設定された表示パネル３０の向きに関する情報をメモリ１４に記憶させるとともに、表示装置の使用が停止され再び開始されるときに、メモリ１４に記憶されている情報に基づいて表示パネル３０の向きを設定する処理を行う。すなわち、表示装置によっては、表示装置の未使用時に表示パネル３０が正常位置（左にも右にも向いていない位置）に戻されて収納される場合がある。そのような場合において表示装置を再び使用するときには、表示パネル３０の向きを再設定する必要があるが、その再設定が自動的に行われる。
【００２３】
次に、自動変更モードによる表示パネル３０の向きの調整について説明する。図６は、複数の着座センサ５０が座席の下に配置された状態を示す図である。これらの着座センサ５０は、人が座っているか否かを感知して、その信号を装置本体１０内のＣＰＵ１２に送る。こうして、ＣＰＵ１２は、車両内の着座状態を検出することができる。
【００２４】
そして、表示装置が自動変更モードに設定されている場合、ＣＰＵ１２は、検出された着座状態に応じてモータ１８を制御する。かくして、着座状態により表示パネル３０の向きが自動的に最適な向きに変更されるため、ユーザが向きを設定する手間を省略することが可能となる。
【００２５】
具体的には、着座状態に応じて設定されるべき表示パネル３０の向きが予めテーブル化されてメモリ１４に格納されている。そこで、ＣＰＵ１２は、検出された着座状態に適合する表示パネル３０の向きを、メモリ１４を参照することにより決定し、モータ１８を制御する。なお、メモリ１４内のテーブルは、ユーザによって適宜、変更され得る。また、このテーブルは、車種、シート位置その他のパラメータをも含めて表示パネルの向きを定義するものとして構成することも可能である。
【００２６】
さらに、本実施形態においては、ＣＰＵ１２は、モータ１８を制御して表示パネル３０の向きを変更するときに、表示パネル３０上の表示画面に、表示パネルの向きに関する情報を表示する。図７は、表示パネルの向きを変更するときの画面表示の例を示す図である。この例では、表示パネルの向きに関する情報が、「画面角度  ＋１０」として表示されている。
【００２７】
なお、「設定  １」との表示は、着座状態別に設けられた設定内容の番号を表している。また、「自動変更  ＯＮ」との表示は、現在、自動変更モードでの調整が行われていることを表している。このように、表示パネルの向きの設定値が表示されるため、手動変更モードの場合にあっては、助手席又は後部座席の人が設定者に最もよい設定値を知らせることが可能となる。
【００２８】
さらに、本実施形態においては、ＣＰＵ１２は、モータ１８を制御して表示パネル３０の向きを変更するときに、表示パネル３０上の表示画面に着座状態を表示する処理をも行う。図７に示される表示画面の例では、「運転席  助手席  後部座席（左）」と表示され、これらの席に人が座っていることがわかる。このように、着座状態が表示されるため、手動変更モードの場合にあっては、向きを設定する者が着座状態を視認することができ、その調整が容易化する。
【図面の簡単な説明】
【００２９】
【図１】マルチプルビュー表示装置を車載用表示装置として利用する場合の問題点を説明するための図である。
【図２】本発明による表示装置の一実施形態としてのマルチプルビュー表示装置の構成を示すブロック図である。
【図３】表示パネルが駆動用モータによって回転駆動される構成を説明するための図である。
【図４】車両内の座席に対して表示パネルの向きを変化させる様子を示す図である。
【図５】表示パネルの向きと車両内の着座状態との関係を例示する図である。
【図６】複数の着座センサが座席の下に配置された状態を示す図である。
【図７】表示パネルの向きを変更するときの画面表示の例を示す図である。
【符号の説明】
【００３０】
１０    表示装置本体
１２    中央処理装置（ＣＰＵ）
１４    メモリ
１６    表示制御回路
１８    モータ
２０    モータ制御回路
２２Ａ，２２Ｂ    駆動軸
３０    表示パネル
４０    外部スイッチ
５０    着座センサ
【図１】
2006146254.tif 000003
【図２】
2006146254.tif 000004
【図３】
2006146254.tif 000005
【図４】
2006146254.tif 000006
【図５】
2006146254.tif 000007
【図６】
2006146254.tif 000008
【図７】
2006146254.tif 000009